(57)【要約】【課題】破損した既設屋根材と差し替えられる新規屋根材を野地板に対してより簡易に且つ確実に取り付けることができ、改修の作業性及び信頼性が高められる補修用クリップを提供すること。【解決手段】野地板７に固定される固定板１４と、新規屋根材６の棟側端部６ａがクリップ１３内に差し込まれた状態で上記棟側端部６ａの棟側Ｆへの移動規制を行なう棟側ストッパー部１５と、上記棟側端部６ａの内側面に係止して上記棟側端部６ａの軒側Ｅへの抜け止めを行なう軒側抜け止め部１６と、上記棟側端部６ａの上端面を上から押さえることにより上記棟側ストッパー部１５及び軒側抜け止め部１６による棟側端部６ａの棟側Ｆ及び軒側Ｅへの移動規制状態を保持するための押さえ部１７とが一体形成された補修用クリップ１３である。【選択図】図１
2008138429.tif 000002
【特許請求の範囲】
【請求項１】
破損した既設屋根材と差し替えられる新規屋根材の棟側端部を棟側に隣接する既設屋根材の軒側端部の下面側に重合配置した状態で、新規屋根材の棟側端部を野地板に取り付けるための補修用クリップであって、野地板に固定される固定板と、新規屋根材の棟側端部がクリップ内に差し込まれた状態で上記棟側端部の棟側への移動規制を行なう棟側ストッパー部と、上記棟側端部の内側面に係止して上記棟側端部の軒側への抜け止めを行なう軒側抜け止め部と、上記棟側端部の上端面を上から押さえることにより上記棟側ストッパー部及び軒側抜け止め部による棟側端部の棟側及び軒側への移動規制状態を保持するための押さえ部とが一体形成されてなることを特徴とする補修用クリップ。
【請求項２】
上記固定板の野地板との固定部分が、棟側に隣接する既設屋根材の軒側端部と重合しない位置まで延設されていることを特徴とする請求項1記載の補修用クリップ。
【請求項３】
上記軒側抜け止め部は、バネ板材からなる固定板の一部を上方に切り起こしたバネ板片にて構成されていることを特徴とする請求項１又は２記載の補修用クリップ。
【発明の詳細な説明】
【技術分野】
【０００１】
本発明は、屋根材の改修に用いる補修用クリップに関し、詳しくは破損した既設屋根材と差し替えられる新規屋根材の棟側端部を棟側に隣接する既設屋根材の軒側端部の下面側に重合配置した状態で、新規屋根材の棟側端部を野地板に取り付けるための補修用クリップに関するものである。
【背景技術】
【０００２】
従来から、屋根材の施工において、屋根材の軒側端部の上面にコ字形金具を固定し、軒側に隣接する屋根材の棟側端部をコ字形金具に差し込むことにより、軒棟方向に隣接する屋根材同士を互いに連結するようにしていた（例えば、特許文献１参照）。
【０００３】
ところが上記特許文献１に示される従来例のコ字形金具は、屋根材同士を連結するためのものでしかなく、屋根材を野地板に対して固定する機能は有しておらず、このため屋根材を野地板に対して強固に固定できないものであった。また屋根材が破損した場合、破損した既設屋根材に差し替えて新規屋根材を取り付ける場合においても、従来のコ字形金具は屋根材の改修にも対応できないものであった。
【０００４】
さらに、破損した既設屋根材に差し替えて新規屋根材を取り付ける場合は、この新規屋根材の棟側端部を棟側に隣接する既設屋根材の軒側端部の下面側に重合配置した状態で、新規屋根材の棟側端部を野地板に取り付ける必要があり、この場合、棟側に隣接する既設屋根材の軒側端部とオーバーラップしている新規屋根材の棟側端部を釘で野地板に固定できず、一般には、新規屋根材の棟側端部をシーリング（接着剤）で野地板に接着するようにしている。しかしながらシーリングによる固定では、新規屋根材の重量によるズレや、シーリング劣化が懸念されるなど、改修の信頼性が低下するという問題があった。
【特許文献１】実開平５−６６１２５号公報
【発明の開示】
【発明が解決しようとする課題】
【０００５】
本発明は上記の従来の問題点に鑑みて発明したものであって、破損した既設屋根材と差し替えられる新規屋根材を野地板に対してより簡易に且つ確実に取り付けることができ、改修の作業性及び信頼性が高められる補修用クリップを提供することを課題とするものである。
【課題を解決するための手段】
【０００６】
前記課題を解決するために本発明は、破損した既設屋根材と差し替えられる新規屋根材６の棟側端部６ａを棟側Ｆに隣接する既設屋根材５の軒側端部５ｂの下面側に重合配置した状態で、新規屋根材６の棟側端部６ａを野地板に取り付けるための補修用クリップであって、野地板７に固定される固定板１４と、新規屋根材６の棟側端部６ａがクリップ１３内に差し込まれた状態で上記棟側端部６ａの棟側Ｆへの移動規制を行なう棟側ストッパー部１５と、上記棟側端部６ａの内側面に係止して上記棟側端部６ａの軒側Ｅへの抜け止めを行なう軒側抜け止め部１６と、上記棟側端部６ａの上端面を上から押さえることにより上記棟側ストッパー部１５及び軒側抜け止め部１６による棟側端部６ａの棟側Ｆ及び軒側Ｅへの移動規制状態を保持するための押さえ部１７とが一体形成されてなることを特徴としている。
【０００７】
このような構成とすることで、破損した既設屋根材を取り外した後の野地板７に本発明の補修用クリップ１３を固定してから、軒側Ｅから新規屋根材６の棟側端部６ａを補修用クリップ１３内に差し込むだけで、棟側ストッパー部１５、軒側抜け止め部１６及び押さえ部１７による新規屋根材６の棟側端部６ａの軒棟方向Ｇへの位置規制及び抜け止めが確実に行なわれるようになる。
【０００８】
また、上記固定板１４の野地板７との固定部分が、棟側Ｆに隣接する既設屋根材５の軒側端部５ｂと重合しない位置まで延設されているのが好ましく、この場合、既設屋根材５の軒側端部５ｂと干渉することなく、固定板１４を野地板７に対して楽に固定できるようになり、野地板７に対する補修用クリップ１３の固定作業性が向上する。
【０００９】
また、上記軒側抜け止め部１６は、バネ板材からなる固定板１４の一部を上方に切り起こしたバネ板片にて構成されているのが好ましく、この場合、新規屋根材６の棟側端部６ａを補修用クリップ１３内に差し込むと、棟側端部６ａがバネ板片からなる軒側抜け止め部１６を下方に撓ませながら棟側Ｆに移動でき、棟側端部６ａの内側面が軒側抜け止め部１６を通り過ぎた段階で、軒側抜け止め部１６は自らのバネ復帰力によって上方に突出して棟側端部６ａの内側面に弾性係止することで、棟側端部６ａは軒側Ｅへの移動規制（抜け止め）された状態となる。従って、軒側抜け止め部１６の構造をきわめてシンプルにできるものでありながら、棟側端部６ａの抜け止め保持効果が確実に得られるようになる。
【発明の効果】
【００１０】
本発明に係る補修用クリップを野地板に固定した状態で、軒側から新規屋根材の棟側端部を補修用クリップ内に差し込むことにより、新規屋根材の棟側端部を棟側に隣接する既設屋根材の軒側端部の下面側に重合配置した状態で、新規屋根材の棟側端部の軒側及び棟側への位置規制及び抜け止めが行なわれる結果、新規屋根材の棟側端部を野地板に対してより簡易で且つ確実な固定ができるようになり、改修の作業性及び信頼性がより高められるものである。
【発明を実施するための最良の形態】
【００１１】
以下、本発明を添付図面に示す実施形態に基いて説明する。
【００１２】
図１は本発明の補修用クリップ１３を用いて新規屋根材６の棟側端部６ａを抜け止め保持した状態の説明図であり、図２及び図３は補修用クリップ１３の説明図である。
【００１３】
上記補修用クリップ１３は、野地板７に対して固定される固定板１４と、新規屋根材６の棟側端部６ａの棟側Ｆへの移動規制を行なう棟側ストッパー部１５と、該棟側端部６ａの軒側Ｅへの抜け止めを行なう軒側抜け止め部１６と、該棟側端部６ａの上端面を上から押さえて棟側Ｆ及び軒側Ｅへの移動規制状態を保持する押さえ部１７とが一体形成されている。図２、図３に示す例では、補修用クリップ１３は側面から見てＬ字形に屈曲されたバネ板材で構成されており、軒棟方向Ｇに細長く延びた固定板１４の軒側Ｅ寄りの位置に釘打ち穴２８ａが設けられており、固定板１４の棟側Ｆ寄りの端部から上方に立ち上がる部分が棟側ストッパー部１５となっており、さらに棟側ストッパー部１５の上端から軒側Ｅに向かって押さえ部１７が折り曲げ形成されている。さらに、固定板１４の中央側部分を上方に切り起こしたバネ板片によって軒側抜け止め部１６が構成されている。ここでは軒側抜け止め部１６は、上端にいくほど棟側ストッパー部１５に近接する方向に傾斜している。さらに押さえ部１７の軒側端部１７ａは軒側抜け止め部１６の上方位置近くまで延び且つその先端は上方に屈曲していて、新規屋根材６の棟側端部６ａの上端面を押さえ部１７の下面に挿入しやすくしてある。
【００１４】
本例の補修用クリップ１３を用いて新規屋根材６を野地板７に取り付ける一例を説明する。先ず、破損した既設屋根材（図示せず）を取り外した後の野地板７（通常、野地板の上面には、防水シート（図示せず）が敷設される）の上面において、新規屋根材６の棟側端部６ａの配置部分に沿って本発明の補修用クリップ１３を複数配列して、各補修用クリップ１３の固定板１４を釘などの固定具２８を用いて屋根下地に対してそれぞれ予め固定しておく。その後、軒側Ｅから図１の矢印ロで示す方向に新規屋根材６の棟側端部６ａを補修用クリップ１３内に差し込むと、棟側端部６ａはバネ板片からなる軒側抜け止め部１６を下方（図３（ａ）の矢印ハの方向）に撓ませながら、棟側Ｆに移動して棟側ストッパー部１５に突き当たり、これにより棟側端部６ａの棟側Ｆへの移動が規制される。また棟側端部６ａの内側面が軒側抜け止め部１６を通り過ぎた段階で、バネ板片からなる軒側抜け止め部１６が自らのバネ復帰力によって上方（図３（ａ）の矢印ニの方向）に突出して棟側端部６ａの内側面に弾性係止した状態（図１の状態）となり、これにより、棟側端部６ａは軒側Ｅへ抜け止めされた状態となる。またこのとき棟側端部６ａの上端面が押さえ部１７にて上方から押さえられることで、上記棟側ストッパー部１５及び軒側抜け止め部１６による棟側Ｆ及び軒側Ｅへの移動規制が押さえ部１７により保持された状態となり、結果として、新規屋根材６の棟側端部６ａを棟側Ｆに隣接する既設屋根材５の軒側端部５ｂの下面側に重合配置した状態で、新規屋根材６の棟側端部６ａの野地板７への取り付けを補修用クリップ１３を介してワンタッチでしかも確実に行なうことができる。なお新規屋根材６の軒側端部６ｂは軒側Ｅに隣接する既設屋根材５の棟側端部の上面に載設固定される。
【００１５】
しかして、上記のように破損した既設屋根材を取り外した後の野地板７に補修用クリップ１３を固定した状態で、軒側Ｅから新規屋根材６の棟側端部６ａを補修用クリップ１３内に差し込むだけで、棟側ストッパー部１５、軒側抜け止め部１６及び押さえ部１７による新規屋根材６の棟側端部６ａの軒棟方向Ｇへの位置規制及び抜け止めが行なわれることとなり、結果、本発明の補修用クリップ１３を用いて新規屋根材６の棟側端部６ａを棟側Ｆに隣接する既設屋根材５の軒側端部５ｂの下面側に重合配置できると共に、野地板７に対する固定がより確実に行なわれるようになり、改修の作業性及び信頼性がより高められるものである。
【００１６】
しかも、固定板１４の野地板７に固定される部分は、棟側Ｆに隣接する別の既設屋根材５の軒側端部５ｂと重合しない位置まで延設されている。つまり、固定板１４の釘打ち込み穴２８ａが、図１に示すように、既設屋根材５の軒側端部５ｂとオーバーラップしない位置に配置されているため、既設屋根材５の軒側端部５ｂによって妨げられることなく、固定板１４を釘などの固定具２８を用いて野地板７に固定することができるようになり、固定作業性が良好となる。
【００１７】
さらに、補修用クリップ１３の軒側抜け止め部１６は、バネ板材からなる固定板１４の一部を上方に切り起こしたバネ板片にて構成されているので、軒側抜け止め部１６の構造をきわめてシンプルにできるものでありながら、棟側端部６ａの抜け止め保持効果が確実に得られる利点もある。
【００１８】
本発明に係る補修用クリップ１３は、改修用に限らず、例えば新築施工時に屋根材の棟側端部を野地板に取り付けるために用いることも可能である。
【図面の簡単な説明】
【００１９】
【図１】本発明の一実施形態の補修用クリップを用いて新規屋根材の軒側端部を抜け止め保持した状態の説明図である。
【図２】（ａ）（ｂ）は同上の新規屋根材の取り付けに使用する補修用クリップの概略斜視図である。
【図３】（ａ）〜（ｅ）は同上の補修用クリップの正面図、左側面図、右側面図、平面図、底面図である。
【符号の説明】
【００２０】
５    既設屋根材
５ｂ  軒側端部
６    新規屋根材
６ａ  棟側端部
７    野地板
１３  補修用クリップ
１４  固定板
１５  棟側ストッパー部
１６  軒側抜け止め部
１７  押さえ部
Ｅ  軒側
Ｆ  棟側
【図１】
2008138429.tif 000003
【図２】
2008138429.tif 000004
【図３】
2008138429.tif 000005